(57)【要約】【課題】簡易かつコストを低減した構成で、ワイパーの動作を検出する。【解決手段】ワイパー動作検出装置１は、車両のガラス面Ｇに面して設置され、ガラス面Ｇに沿って往復動するワイパーが通過する領域の照度を検出する光センサ３０と、ワイパーの通過によって光センサ３０が検出する照度が一時的に低下する低下時間を検出すると共に、低下時間の間隔に基づいた間隔周期からワイパーの動作を判定する動作検出部５０と、を備える。【選択図】図２
2018103725.tif 000002
【特許請求の範囲】
【請求項１】
車両のガラス面に面して設置され、当該ガラス面に沿って往復動するワイパーが通過する領域の照度を検出する光センサと、
前記ワイパーの通過によって前記光センサが検出する照度が一時的に低下する低下時間を検出すると共に、前記低下時間の間隔に基づいた間隔周期から前記ワイパーの動作を判定する動作検出部と、を備えることを特徴とするワイパー動作検出装置。
【請求項２】
前記動作検出部は、前記ワイパーの動作を制御する制御装置から入力されたワイパーの動作開始通知に応じて、前記ワイパーの動作の判定を行い、
前記動作検出部によって前記ワイパーの動作が判定されなかった場合に、前記ワイパーの異常を報知する警報部を備えることを特徴とする請求項１記載のワイパー動作検出装置。
【請求項３】
前記ワイパーの動作を制御する制御装置からワイパーの動作停止通知を入力された後に、前記動作検出部によって前記ワイパーの動作が判定された場合に、前記ワイパーの異常を報知する警報部を備えることを特徴とする、請求項１記載のワイパー動作検出装置。
【請求項４】
前記動作検出部は、前記低下時間と、当該低下時間の二つ先の低下時間との間隔周期に基づいて、前記ワイパーの動作を判定する請求項１〜３のいずれか一項に記載のワイパー動作検出装置。
【請求項５】
前記動作検出部は、前記間隔周期と基準動作周期の差が閾値以下である場合に、前記ワイパーが動作していると判定し、
前記間隔周期と前記基準動作周期との差が閾値を超える場合に、前記ワイパーの異常を報知する警報部を備える請求項１〜４のいずれか一項に記載のワイパー動作検出装置。
【請求項６】
前記動作検出部は、前記間隔周期と基準動作周期の差が閾値以下である場合に、前記ワイパーが動作していると判定し、
前記間隔周期と基準動作周期の差に基づいて、前記ワイパーの動作の変更の要否を判断する動作変更判断部を備えることを特徴とする請求項１〜４のいずれか一項に記載のワイパー動作検出装置。
【請求項７】
前記基準動作周期は、ワイパーの動作速度および間欠時間をそれぞれに異ならせた複数の動作モードに応じて予め決定され、
前記ワイパーの動作を制御する制御装置から入力されるワイパーの動作開始通知には、ワイパーを動作させる動作モードの通知が含まれ、
前記動作検出部は、前記ワイパーの動作開始通知が示す動作モードに応じた基準動作周期と前記間隔周期の差を算出することを特徴とする請求項５または６記載のワイパー動作検出装置。
【請求項８】
前記動作変更判断部は、前記間隔周期と基準動作周期の差が所定時間よりも長い場合に、前記ワイパーの動作の停止を判断することを特徴とする請求項６記載のワイパー動作検出装置。
【請求項９】
前記光センサは、車両前方の照度を検出する前方受光素子と、車両上方の照度を検出する上方受光素子とを備え、
前記動作検出部は、前記前方受光素子と前記上方受光素子のいずれか一方が検出する照度を用いて、前記ワイパーの動作を判定することを特徴とする請求項１〜８のいずれか一項に記載のワイパー動作検出装置。
【請求項１０】
前記光センサは、車両前方の照度を検出する前方受光素子と、車両上方の照度を検出する上方受光素子とを備え、
前記動作検出部は、前記前方受光素子と前記上方受光素子の両方の受光素子が検出する照度を用いて、前記ワイパーの動作を判定することを特徴とする請求項１〜８のいずれか一項に記載のワイパー動作検出装置。
【発明の詳細な説明】
【技術分野】
【０００１】
本発明は、ワイパー動作検出装置に関する。
【背景技術】
【０００２】
車両には、降雨時にウィンドウのガラス面に付着する雨滴を払拭するためのワイパーが設置されている。ワイパーは、運転者の操作によって動作速度等を段階的に変更できるようになっているが、運転者の操作に拠らずに、降雨状況の変化に応じてワイパーの動作を自動的に制御する技術が提案されている。例えば、雨滴センサをガラス面に設置して、雨天時にガラス面に付着する雨滴の量を検出し、雨滴の量に応じてワイパーの動作速度等を調節する（例えば、特許文献１参照）。
【０００３】
しかしながら、ワイパーの動作中には、ワイパーに払拭された雨滴がガラス面上を移動する。雨が激しくなっているのに、雨滴センサの検出領域から雨滴が払拭されることや、雨量が減少したにも関わらず検出領域に雨滴が集中することがある。そのような場合、雨滴センサの検出結果は、降雨状況の変化を的確に反映したものではなくなる。
【０００４】
そこで、ワイパーモータの出力するパルス信号を取得してワイパーの動作を検出し、検出結果を降雨状況の変化の判定に用いる技術が提案されている（例えば、特許文献２参照）。
【先行技術文献】
【特許文献】
【０００５】
【特許文献１】特開平０４−３４９０５３号公報
【特許文献２】特開２００９−０９０８０４号公報
【発明の概要】
【発明が解決しようとする課題】
【０００６】
しかしながら、ワイパーモータの出力するパルス信号からワイパーの動作を検出するためには、ワイパーモータと接続するためのコネクタやハーネス等の部品や、パルス信号を解析するためのハードウェアおよびソフトウェアを備えた装置が必要となり、コストがかかる。
【０００７】
本発明は、簡易かつコストを低減した構成で、ワイパーの動作を検出することができるワイパー動作検出装置を提供することを目的とする。
【課題を解決するための手段】
【０００８】
本発明のワイパー動作検出装置は、車両のガラス面に面して設置され、当該ガラス面に沿って往復動するワイパーが通過する領域の照度を検出する光センサと、
前記ワイパーの通過によって前記光センサが検出する照度が一時的に低下する低下時間を検出すると共に、前記低下時間の間隔に基づいた間隔周期から、前記ワイパーの動作を判定する動作検出部と、を備える。
【発明の効果】
【０００９】
本発明によれば、光センサの検出領域にワイパーが通過して生じる照度の低下時間を検出すると共に、低下時間の間隔に基づいた間隔周期からワイパーの動作を判定することができる。光センサは、ヘッドライトの点灯制御のために、予め車両に設置されていることも多い。そのため、例えば、ワイパーモータの出力するパルス信号からワイパーの動作を検出する場合に比べて、専用の部品やハードウェア、ソフトウェアの導入の必要がない。これによって、簡易かつコストを低減したワイパー動作検出装置を提供することができる。また、ワイパーの動作の検出結果から、降雨状況の変化に応じてワイパーの動作を変更したり、ワイパーの異常を検出したりすることができ、車両の安全性、快適性を向上させることができる。
【図面の簡単な説明】
【００１０】
【図１】車両に設置されたワイパーの構成と動作を示す模式図である。
【図２】実施の形態にかかるワイパー動作検出装置の構成を示すブロック図である。
【図３】センサ部の構成を示す平面図である。
【図４】光センサの構成を説明する図である。
【図５】（Ａ）は雨滴センサの構成を説明する図であり、（Ｂ）は雨滴センサによる雨滴の検出原理を説明する図である。
【図６】ワイパー動作検出装置における処理を説明するフローチャートである。
【図７】ワイパーの動作による光センサの出力値の変化の一例を示す図である。
【図８】遅延時間マップを説明する説明図である。
【図９】変形例１にかかるワイパー動作検出装置の構成を示すブロック図である。
【図１０】雨滴センサの受光素子の出力値の変化の一例を示す図である。
【図１１】ワイパー払拭水マップを説明する説明図である。
【図１２】補正係数マップを説明する説明図である。
【図１３】判断マップを説明する説明図である。
【発明を実施するための形態】
【００１１】
以下、本発明の実施の形態に係るワイパー動作検出装置を説明する。ワイパー動作検出装置は、車両に設置されたワイパーの動作を検出するものである。まず、車両に設置されたワイパーについて説明する。
図１は、車両に設置されたワイパーの構成と動作を示す模式図である。
図１に示すように、車両のワイパーＷは、ガラス面を払拭するワイパーアームＷＡと、ワイパーアームＷＡを駆動するワイパーモータＷＭを備えている。ワイパーアームＷＡは、ガラス面を払拭しながら初期位置Ｐ１から反転位置Ｐ２まで移動した後に、反転位置Ｐ２から初期位置Ｐ１に戻る往復動作を行う。
【００１２】
ワイパーには複数の動作モードが設けられている。動作モードによって、ワイパーの動作速度と間欠時間が異なるように設定されている。間欠時間とは、一回の往復動作から次の往復動作までの間に設けられた、ワイパーの動作をオフになる時間である。ワイパーの一回の往復動作とその後の間欠時間を合わせた時間を、ワイパーの動作の一周期とする。
【００１３】
動作モードの種類は特定のものに限定されないが、例えば、ワイパーが低速運転で間欠時間も比較的長い「間欠運転モード」、ワイパーは低速運転だが間欠時間が比較的短い「低速運転モード」、ワイパーが高速運転で間欠時間も比較的短い「高速運転モード」、ワイパーが高速運転で間欠時間がほとんどない「連続運転モード」等がある。
【００１４】
運転者は、不図示のワイパースイッチを操作して、動作モードを指定する。ワイパーの動作の制御は、車載プロセッサＣＰによって行われる。車載プロセッサＣＰは、運転者が指定した動作モードにしたがって、ワイパーモータＷＭに駆動信号を出力して、ワイパーの動作速度と間欠時間を制御する。ワイパーモータＷＭは駆動信号に従って、ワイパーアームＷＡを動作させる。車載プロセッサＣＰは、例えばヘッドライト、ナビゲーション装置等の他の車載設備の制御も行うが、ここでは説明は省略する。
【００１５】
次に、ワイパー動作検出装置の構成について説明する。
図２は、実施の形態にかかるワイパー動作検出装置のブロック図である。
図２に示すように、ワイパー動作検出装置１は、通信部１０、センサ部２０、動作検出部５０、動作変更判断部８０および警報部９０を備える。
【００１６】
通信部１０は、車載プロセッサＣＰと有線または無線により通信を行う。車載プロセッサＣＰは、ワイパーの動作を開始させる際と停止させる際に、通信部１０にワイパーの動作開始通知と動作停止通知を送信する。ワイパーの動作開始通知は、ワイパーを動作させる動作モードの通知を含む。また、詳しくは後述するが、通信部１０は、動作変更判断部８０の判断結果を、車載プロセッサＣＰに送信する。
【００１７】
センサ部２０は、照度を測定する光センサ３０と、雨滴を検出する雨滴センサ４０とを備える。
図３は、センサ部２０の構成を示す平面図である。図４は、光センサ３０の構成を説明する図である。図５の（Ａ）は、雨滴センサ４０の構成を説明する図である。図５の（Ｂ）は、雨滴センサ４０による雨滴の検出原理を説明する図である。なお、図４および図５の（Ａ）はセンサ部２０を取り付けたガラス面Ｇの断面方向から見た図であるが、わかりやすくするために光センサ３０および雨滴センサ４０を模式的に示しており、図３に示した光センサ３０および雨滴センサ４０の寸法とは一致していない。
【００１８】
図３に示すように、センサ部２０は、筐体２１の内部に光センサ３０と雨滴センサ４０を一体的に収容したものである。筐体２１は板状のブラケット２２とドーム状のカバー２３を組み合わせたものである。図４に示すように、光センサ３０は、筐体２１の外部の可視光を集光するレンズ３１と、レンズ３１が集光した可視光をそれぞれ受光する前方受光素子３２および上方受光素子３３を備えている。図５の（Ａ）に示すように、雨滴センサ４０は、赤外光を照射する発光素子４１と、赤外光を受光する受光素子４２と、プリズム４３（後記板状部４３ａと導光部４３ｂ）を備えている。プリズム４３は、発光素子４１が照射した赤外光をガラス面Ｇに導き、ガラス面Ｇで反射された赤外光を受光素子４２に導くものである。
【００１９】
図３に示すように、センサ部２０は、可視光を用いる光センサ３０と、赤外光を用いる雨滴センサ４０が同じ筐体２１に収容されている。そのため、光センサ３０と雨滴センサ４０は、互いが用いる可視光または赤外光が、それぞれの動作を干渉しないように筐体２１の内部に配置される。
【００２０】
図３および図５の（Ａ）に示すように、雨滴センサ４０のプリズム４３は、矩形の板状部４３ａと、板状部４３ａの一面に取り付けられた導光部４３ｂとを有している。図示は省略しているが、板状部４３ａの導光部４３ｂの取り付け面と対向する面には、赤外光のみを透過する黒色フィルタが貼付されている。筐体２１のブラケット２２の中央には矩形の貫通孔が形成され、板状部４３ａがこの貫通孔に嵌め込まれる。板状部４３ａは、導光部４３ｂの取り付け面が筐体２１の内部に面し、黒色フィルタが貼付された面が筐体２１の外部に露出するように配置される。雨滴センサ４０の発光素子４１および受光素子４２は、導光部４３ｂの直下に配置されている。
【００２１】
プリズム４３の板状部４３ａの角の近傍であって、導光部４３ｂの取り付け部分から離れた領域が角丸長方形に打ち抜かれている。その領域に光センサ３０のレンズ３１が嵌め込まれる。図４に示すように、レンズ３１の直下に前方受光素子３２および上方受光素子３３が配置されている。レンズ３１、前方受光素子３２および上方受光素子３３の周囲はカバー部材３４に覆われている。雨滴センサ４０のプリズム４３に黒色フィルタが貼付されているので、筐体２１の内部には赤外光のみが透過するようになっている。光センサ３０のレンズ３１が嵌め込まれた部分には可視光が透過するが、光センサ３０がカバー部材３４で覆われていることによって、雨滴センサ４０の発光素子４１および受光素子４２には可視光が到達しない。
【００２２】
図４および図５の（Ａ）に示すように、センサ部２０は車両のフロントウィンドウのガラス面Ｇに取り付ける。その際、プリズム４３の板状部４３ａに不図示の光透過性の接着シートを貼り付ける。板状部４３ａを、接着シートを介して車両内側のガラス面Ｇに密着させ、車両の外方に向くように配置する。センサ部２０は、二本組のワイパーのいずれか一方が通過する領域であって、かつ運転者の視界を塞がない位置に配置する。例えば、センサ部２０は、フロントウィンドウの上方の、バックミラーの近傍に配置しても良い。
【００２３】
次に、光センサ３０と雨滴センサ４０のそれぞれの具体的な構成を説明する。図４に示すように、光センサ３０のレンズ３１は、前方受光素子３２に可視光を導く前方光導光部３１ａと、上方受光素子３３に可視光を導く上方光導光部３１ｂを一体に構成している。レンズ３１は、ガラス面Ｇの屈折率と同等な屈折率を持つものを用いる。
【００２４】
前方光導光部３１ａおよび上方光導光部３１ｂともに、ガラス面Ｇに密着する上面は平面である。前方光導光部３１ａの筐体２１の内部に位置する下面は凸面となっており、前方光導光部３１ａは凸レンズを形成している。前方光導光部３１ａの光軸は、車両前方からガラス面Ｇに入射し、筐体２１の内部で車両後方に向かう。一方、上方光導光部３１ｂの筐体２１の内部に位置する下面は凹面となっており、上方光導光部３１ｂは凹レンズを形成する。上方光導光部３１ｂの光軸は、車両上方からガラス面Ｇに入射し、筐体２１の内部に入ると、車両前方の、前方光導光部３１ａの光軸から離間する方向に進む。
【００２５】
前方受光素子３２は前方光導光部３１ａの光軸上に配置される。これにより、前方受光素子３２は、車両前方の、円錐をなす視野範囲α（°）から、光を受光する。上方受光素子３３は上方光導光部３１ｂの光軸上に配置される。これにより、上方受光素子３３は車両上方の、円錐をなす視野範囲β（°）からの光を受光する。視野範囲αと視野範囲βは重ならないように設定してある。前方受光素子３２および上方受光素子３３は、受光量に応じたレベルの受光信号（電気信号）を生成する。すなわち、光センサ３０は、前方受光素子３２および上方受光素子３３により、車両の前方の照度と上方の照度を検出するものである。
【００２６】
図５の（Ａ）に示すように、雨滴センサ４０の発光素子４１は、照射した赤外光がガラス面Ｇに対して所定角度をもって入射するように配置されている。受光素子４２は、ガラス面Ｇで反射された赤外光を受光するために、反射された赤外光の光路上に配置されている。発光素子４１には、図示しない発光制御部からパルス信号が入力される。発光素子４１は、パルス信号により規定される所定周期毎に検知面Ｄに向けて光を照射する。検知面Ｄに雨滴Ｓなどが付着していないと、発光素子４１が照射した赤外光は、プリズム４３の導光部４３ｂによって誘導され、板状部４３ａを透過してガラス面Ｇに到達し、ガラス面Ｇにおいて所定の大きさの検知面Ｄで反射する。検知面Ｄで反射した反射光は、板状部４３ａを透過して、導光部４３ｂによって受光素子４２に誘導される。受光素子４２は、受光量に応じたレベルの受光信号（電気信号）を生成する。
【００２７】
図５の（Ｂ）に示すように、検知面Ｄに雨滴Ｓなどが付着していると、発光素子４１から照射された光は雨滴Ｓにより一部拡散されるので、受光素子４２の受光量が検知面Ｄに付着した雨滴Ｓの量に応じて減少する。したがって、受光素子４２は、検知面Ｄに付着した雨滴Ｓに応じて異なるレベルの出力を与える。この際、検知面Ｄに付着する雨滴の量が多いほど出力値は小さくなるので、受光素子４２の出力値に基づいて、検知面Ｄに付着した雨滴の量を検出できる。
【００２８】
なお、ここでは、センサ部２０として、光センサ３０と雨滴センサ４０を一体的に備えたものを用いているため、雨滴センサ４０の構成についても説明した。しかしながら、実施の形態では、光センサ３０の出力値のみをワイパー動作検出装置１の処理に使用する例を説明する。よって、センサ部２０は、光センサ３０のみを備えたものを用いても良い。
【００２９】
図４および図５の（Ａ）に示すように、センサ部２０の筐体２１の内部には基板２４が設置されている。図示は省略するが、基板２４には、プロセッサ、メモリ、通信回路等が配置されている。プロセッサがメモリに記憶されたプログラムを実行することで、図１に示したワイパー動作検出装置１の機能構成を実現する。メモリは、また、ワイパー動作検出装置１の処理に必要な情報を記憶している。なお、ここでは詳細な説明は省略するが、センサ部２０のプロセッサは、ワイパー動作検出装置１以外の機能構成を実現するものであっても良い。例えば、プロセッサは光センサ３０の出力値からヘッドライトの点灯の要否を判断しても良い。また、ワイパー動作検出装置１の機能構成を実現するプロセッサは、必ずしもセンサ部２０の基板２４に設置されたプロセッサで実現する必要は無く、別のプロセッサで実現しても良く、あるいはセンサ部２０のプロセッサと別のプロセッサを組み合わせても良い。
【００３０】
図２の動作検出部５０は、光センサ３０の検出する照度に基づいて、ワイパーの動作を検出する。動作検出部５０は、光センサ３０の前方受光素子３２および上方受光素子３３のうち、前方受光素子３２の検出する照度を用いる。動作検出部５０は、車載プロセッサＣＰからワイパーの動作開始通知を受信すると、ワイパーの通過によって光センサ３０が検出する照度が一時的に低下する時間（以下、「低下時間」という）を検出する。動作検出部５０は、検出した低下時間の間隔に基づいた間隔周期から、ワイパーの動作を判定する。
【００３１】
具体的には、動作検出部５０は、一つの低下時間と、その低下時間の二つ先の低下時間との間隔周期を測定し、測定した間隔周期とワイパーの基準動作周期との差を算出する。動作検出部５０は、間隔周期と基準動作周期の差が閾値以下であった場合に、ワイパーが動作していると判定する。
【００３２】
動作検出部５０は、ワイパーが動作していると判定した場合は、算出した差を遅延時間として動作変更判断部８０に入力する。動作検出部５０は、ワイパーが動作していると判定できない場合は、判定結果を警報部９０に入力する。
【００３３】
動作検出部５０は、車載プロセッサＣＰからワイパーの動作停止通知を受信した場合にも、ワイパーの動作の判定を行う。動作検出部５０は、ワイパーの動作停止通知を受信した後に、ワイパーの動作を判定した場合には、判定結果を警報部９０に入力する。
【００３４】
警報部９０は、動作検出部５０から入力があると、ワイパーの異常を報知する警報信号を生成する。生成した警報信号は、通信回路を介して車載プロセッサＣＰに送信する。車載プロセッサＣＰは、警報信号を受信すると、運転者にワイパーの異常を報知する。報知の態様は、特定のものに限られないが、例えばワイパーの異常を報知するランプを設け、そのランプを点灯させても良い。あるいは、ナビゲーション装置のディスプレイに、ワイパーの異常の通知を表示させても良い。あるいは、警報信号を車載プロセッサＣＰに送信する代わりに、ワイパー動作検出装置１自体に、警報部９０として、例えばランプやブザー音等を備え、ランプを点灯させたり、ブザーを鳴動させて、異常を報知するようにしても良い。ランプやブザーは、例えば、センサ部２０の筐体２１に設置しても良い。
【００３５】
動作変更判断部８０は、動作検出部５０が入力したワイパーの遅延時間に基づいて、ワイパー動作の変更の要否を判断する。動作変更判断部８０は、判断結果を車載プロセッサＣＰに送信する。車載プロセッサＣＰは、動作変更判断部８０における判断結果に基づいて、ワイパー動作の変更などを行う。動作の変更には、動作速度の変更、動作モードの変更、ワイパーの動作の停止等が含まれる。
【００３６】
以下、ワイパー動作検出装置１で行われる処理の詳細を説明する。
図６は、ワイパー動作検出装置１における処理を説明するフローチャートである。
図６に示すように、車載プロセッサＣＰからワイパーの動作開始通知を受信すると（ステップＳ１０１）、動作検出部５０は、ワイパーの動作を検出する処理を開始する。
動作検出部５０は、ワイパーの動作を検出するために、センサ部２０の光センサ３０の、前方受光素子３２が出力する照度を参照する。
【００３７】
図７は、ワイパーの動作による光センサ３０の出力値の変化の一例を示した図である。
図７のグラフの実線は、光センサ３０の出力値を示す。図７の下側の破線は、ワイパーを駆動させる際にワイパーモータＷＭが出力するパルス信号を示す。パルス信号がオンになっているときに、ワイパーは図１に示した往復動作を行う。パルス信号がオフになっているときは、往復動作の間の間欠時間である。
【００３８】
一方、光センサ３０の出力値を見ると、ワイパーの動作中に、照度が一時的に下がる時間（ｔ１、ｔ２、ｔ３、ｔ４）が、間欠的に繰り返し現れる。図１に示すように、ワイパーが動作する際には、光センサ３０の検出領域ＤＡを通過する。ワイパーの通過の際に検出領域ＤＡの光が一時的に遮られ、光センサ３０が検出する照度も一時的に低下する。ワイパーが動作を継続することによって、照度が一時的に低下する時間が、間欠的に連続する。
【００３９】
ここで、ワイパーモータＷＭのパルス信号を見ると、パルス信号のオン時間ＯＮＴ１とオフ時間ＯＦＴを足した時間が、ワイパーの動作周期ＷＴとなる。一方、光センサ３０の出力値を見ると、パルス信号のオン時間には、照度の低下時間が、それぞれ２回ずつ現れる。ワイパーは、初期位置Ｐ１から反転位置Ｐ２の間を往復動する間に、光センサ３０の検出領域ＤＡを２回通過する。そのため、１回のオン時間における照度の低下時間は２回となる。そして、１つのオン時間ＯＮＴ１に現れる最初の低下時間ｔ１と、次のオン時間ＯＮＴ２に現れる最初の低下時間ｔ３の間隔は、ワイパーの動作周期ＷＴと同じになる。
【００４０】
すなわち、光センサ３０の照度の低下時間を検出すると共に、ある低下時間とその低下時間から二つ先の低下時間の間隔の周期（間隔周期）を測定し、その間隔周期がワイパーの動作周期に当てはまるものであるかを判断することで、ワイパーが動作しているかを判定することができる。
【００４１】
具体的な処理としては、動作検出部５０は、ワイパーの動作開始通知を受信すると（ステップＳ１０１）、光センサ３０の出力値から、ワイパーの通過によって照度が一時的に低下する低下時間を検出する（ステップＳ１０２）。
【００４２】
光センサ３０の照度が低下する要因としては、天候の変化やトンネルへの進入等、ワイパーの通過以外のものも考えられる。そこで、ワイパーが通過する際の照度の低下時間（例えば５ｍｓ）や照度の低下率（例えば２０％）等を予め測定実験やシミュレーション等を行って求めておき、閾値としてメモリに記憶させておく。動作検出部５０は、光センサ３０が随時出力する照度をこれらの閾値と比較することにより、低下時間の検出行う。
【００４３】
動作検出部５０は、低下時間を検出すると（ステップＳ１０２：Ｙｅｓ）、検出した低下時間について間隔周期を測定する（ステップＳ１０３）。動作検出部５０は、最初に検出した低下時間とその二つ先の低下時間の間隔を測定したら、次に、二番目に検出した低下時間とその二つ先の低下時間の間隔を測定する。このように、動作検出部５０は検出した低下時間に対して、順次、二つ先の低下時間との間隔を測定することで、間隔周期の測定を行う。
【００４４】
動作検出部５０は、ステップＳ１０３で測定した間隔周期を基準動作周期と比較し、その差が閾値以下である場合（ステップＳ１０４：Ｙｅｓ）に、ワイパーが動作していると判定する（ステップＳ１０５）。基準動作周期は、ワイパーの動作周期の基準値である。基準動作周期は、予め測定実験やシミュレーション等を行って決定し、メモリに記憶させておく。ワイパーの動作周期は動作モードごとに異なるため、基準動作周期も動作モードごとに設ける。動作検出部５０は、ワイパーの動作開始通知に示される動作モードに対応する基準動作周期をメモリから取得する。間隔周期と基準動作周期の差との比較に用いる閾値は、基準動作周期と実際のワイパーの動作周期との誤差の最大許容値を示す。前記したように、ワイパーの動作速度と間欠時間は、動作モードに応じた一定の値が、予め設定されている。動作速度と間欠時間が常に一定であれば、間隔周期も一定となる。しかしながら、ガラス面Ｇワイパーの実際の動作速度は必ずしも一定にならず、結果として間隔周期も一定にならないことがある。
【００４５】
その要因として、降雨状況によるガラス面Ｇの状態の変化がある。例えば、雨が激しく、ガラス面Ｇが雨滴で十分濡れていると、ガラス面ＧとワイパーアームＷＡの摩擦が小さくなり、ワイパーの動作速度は速くなる傾向がある。その場合は、低下時間の間隔周期は短くなる。一方、小雨となってガラス面Ｇの雨滴の量が少なくなると、ガラス面ＧとワイパーアームＷＡの摩擦が増大してワイパーの動作速度が遅くなる傾向がある。その場合は、低下時間の間隔周期も長くなる。
【００４６】
このように、ガラス面Ｇの状態の変化によって間隔周期と基準動作周期には誤差が生じる。ただし、ワイパーモータＷＭの異常によっても、間隔周期と基準動作周期の差が大きくなることが考えられる。ワイパーモータＷＭに異常があると、ワイパーが動作モードで設定された動作速度とかけ離れた速度で動作する可能性がある。そこで、ガラス面Ｇの状態の変化による間隔周期の変化の範囲を予め測定して求め、基準動作周期との差の最大値を閾値として設定する。そして、間隔周期と基準動作周期の差がその閾値以下である場合に、動作検出部５０はワイパーが動作していると判定する。このような閾値の設定によって、動作検出部５０は、単にワイパーが動作しているかだけでなく、ワイパーが動作モードに従って正常に動作しているかを判定する。
【００４７】
また、ワイパーの動作以外の要因によって、単発的に、間隔周期と基準動作周期の差が閾値以下になることも考えられる。あるいは、橋げたの下を通過するような場合に、間隔周期と基準動作周期の差が閾値以下になる状態が短期的に連続することも考えられる。そこで、間隔周期の測定と基準動作周期との比較を、所定回数（例えば３０回）以上行って、ワイパーの動作を判定するようにしても良い。所定回数の比較において、間隔周期と基準動作周期の差がすべて閾値以下であった場合に、動作検出部５０はワイパーが動作していると判定しても良い。あるいは所定回数の中で、間隔周期と基準動作周期の差が閾値以下である割合が、例えば８０％程度であれば、動作検出部５０は、ワイパーが動作していると判定しても良い。
【００４８】
ステップＳ１０５においてワイパーの動作を判定した場合、ステップＳ１０３で測定した間隔周期は、ワイパーの実際の動作周期を示すものである。すなわち、間隔周期と基準動作周期の差は、ワイパーの遅延時間を示す。ただし、間隔周期と基準動作周期の差が、ワイパーの遅延時間を意味するのは、間隔周期が基準動作周期よりも長い場合である。ガラス面Ｇの状態によって間隔周期が基準動作周期よりも短くなることもあるが、その場合はワイパーの動作に遅延は生じていない。そこで、動作検出部５０は、間隔周期が基準動作周期より長い場合（ステップＳ１０６：Ｙｅｓ）は、ステップＳ１０５で算出した差を、遅延時間として動作変更判断部８０に出力する（ステップＳ１０７）。間隔周期が基準動作周期より短ければ（ステップＳ１０６：Ｎｏ）、動作検出部５０は、遅延時間を０として動作変更判断部８０に出力する（ステップＳ１０８）。
【００４９】
動作検出部５０においてワイパーの動作を判定できなかった場合、すなわちステップＳ１０２で低下時間が検出されない場合、またはステップＳ１０４で間隔周期と基準動作周期の差が閾値を超えた場合、車載プロセッサＣＰからワイパーの動作開始通知を受信したにも関わらず、ワイパーが動作していないか、動作モードに従って正常に動作していない可能性がある。動作検出部５０は、判定結果を警報部９０に出力する。
【００５０】
動作変更判断部８０は、動作検出部５０が入力した遅延時間に基づいて、ワイパーの動作変更を判断する（ステップＳ１０９）。
前記したように、小雨となってガラス面Ｇの雨滴の量が少なくなると、ガラス面ＧとワイパーアームＷＡの摩擦が増大してワイパーの動作速度が遅くなる傾向がある。その場合は、遅延時間も長くなる。すなわち、遅延時間の長さは、ワイパーを停止させるまたは速度を低下させる判断の基準となる。
【００５１】
動作変更の具体的な判断基準は、特定のものに限られず、適宜設定することができる。例えば、ワイパーの遅延時間が所定の閾値よりも長くなった場合に、ワイパーを停止させるようにしても良い。あるいは、閾値を段階的に設け、ワイパーの動作の停止だけでなく、動作モードの変更等の判断を行うようにしても良い。
【００５２】
また、例えば、メモリに図８に示すような遅延時間マップを記憶させておき、動作変更判断部８０は、この遅延時間マップを参照して動作の変更を判断しても良い。
図８に示すように、遅延時間マップでは、ワイパーの遅延時間とワイパー遅延レベルの関係が規定されている。ワイパー遅延レベルとは、ワイパーの遅延時間の程度（レベル）を段階的に評価する指数である。動作変更判断部８０は、動作検出部５０が入力した遅延時間が、遅延時間マップにおいてどのワイパー遅延レベルに該当するかを特定する。動作変更判断部８０は、例えば、遅延時間が２０ｍｓである場合はワイパー遅延レベルが「１」と特定し、９０ｍｓである場合は「５」と特定する。動作変更判断部８０は、例えば、ワイパー遅延レベルが「８」以上に該当する場合はワイパーを停止し、「４」以上「８」未満の場合はワイパーの速度を低下させ、「３」未満の場合は動作の変更を行わない判断を行っても良い。
【００５３】
動作変更判断部８０は、ワイパーの動作の停止または速度の変更を判断した場合は、判断結果を、通信部１０を介して車載プロセッサＣＰに送信する。車載プロセッサＣＰは、ワイパーモータＷＭへの駆動信号の出力を中止して、ワイパーを停止させるように制御を行う。また、ワイパーを停止させる際に、ワイパー動作検出装置１の通信部１０にワイパーの動作停止通知を送信する。
【００５４】
動作検出部５０は、ワイパーの動作停止通知を受信するまで（ステップＳ１１０：Ｎｏ）、ステップＳ１０２〜Ｓ１０９の処理を繰り返す。動作検出部５０は、ワイパーの動作停止通知を受信すると（ステップＳ１１０：Ｙｅｓ）、所定時間ワイパーの動作の判定処理を行う（ステップＳ１１１）。ワイパーの動作停止通知に示すとおり、ワイパーが正常に動作を停止していることを確認するためである。判定の処理はステップＳ１０２〜Ｓ１０５と同様である。動作検出部５０は、ワイパーが動作していない判定した場合（ステップＳ１１１：Ｎｏ）、処理を終了する。一方、動作検出部５０は、ワイパーが動作していると判定した場合（ステップＳ１１１：Ｙｅｓ）、車載プロセッサＣＰからワイパーの動作停止通知を受信したにも関わらず、ワイパーの動作が停止していないため、ワイパーモータＷＭに異常が生じている可能性がある。この場合、動作検出部５０は判定結果を警報部９０に出力する。
【００５５】
ステップＳ１０２またはステップＳ１０４、ステップＳ１１１において、動作検出部５０が判定結果を警報部９０に出力した場合、警報部９０は警報信号を生成し、通信部１０を介して車載プロセッサＣＰに送信する（ステップＳ１１２）。
【００５６】
以上の通り、実施の形態に係るワイパー動作検出装置１は、
（１）車両のガラス面Ｇに面して設置され、ガラス面Ｇに沿って往復動するワイパーが通過する領域の照度を検出する光センサ３０と、ワイパーの通過によって光センサ３０が検出する照度が一時的に低下する低下時間を検出すると共に、低下時間の間隔に基づいた間隔周期からワイパーの動作を判定する動作検出部５０と、を備える。
【００５７】
光センサ３０の検出領域ＤＡにワイパーが通過すると、検出照度が一時的に低下する低下時間が間欠的に現れる。この低下時間を検出すると共に、低下時間の間隔に基づいた間隔周期から、ワイパーの動作を判定することができる。光センサ３０は、ヘッドライトの点灯制御のために、予め車両に設置されていることも多い。そのため、例えば、ワイパーモータＷＭの出力するパルス信号からワイパーの動作を検出する場合に比べて、コネクタやワイヤハーネス等の部品やハードウェア、ソフトウェアの導入の必要がない。これによって、簡易かつコストを低減したワイパー動作検出装置を提供することができる。また、ワイパーの動作の検出から、降雨状況の変化に応じてワイパーの動作を変更したり、ワイパーの異常を検出したりすることができ、車両の安全性、快適性を向上させることができる。
【００５８】
（２）動作検出部５０は、ワイパーの動作を制御する車載プロセッサＣＰ（制御装置）から入力されたワイパーの動作開始通知に応じて、ワイパーの動作の判定を行い、動作検出部５０によってワイパーの動作が判定されなかった場合に、ワイパーの異常を報知する警報部９０を備える。
【００５９】
車載プロセッサＣＰからワイパーの動作開始通知が入力されているのに、動作検出部５０がワイパーの動作を判定できない場合は、ワイパーモータＷＭの異常が考えられる。そのような場合に、警報を出力することによって、運転者はワイパーの異常を速やかに知ることができる。
【００６０】
（３）車載プロセッサＣＰからワイパーの動作停止通知を入力された後に、動作検出部５０によってワイパーの動作が判定された場合に、ワイパーの異常を報知する警報部９０を備える。
【００６１】
車載プロセッサＣＰからワイパーの動作停止通知が入力されているのに、ワイパーが動作している場合は、ワイパーモータＷＭの異常が考えられる。そのような場合に、警報を出力することによって、運転者はワイパーの異常を速やかに知ることができる。
【００６２】
（４）動作検出部５０は、低下時間と、その低下時間の二つ先の低下時間との間隔周期に基づいて、ワイパーの動作を判定する。
【００６３】
ワイパーは、ガラス面Ｇを往復動する一回の動作周期において、検出領域ＤＡを２回通過することになる。そのため、ある低下時間から二つ先の低下時間までの間隔周期が、ワイパーの動作周期と同じになる。このように、低下時間の間隔周期に基づいてワイパーの動作を容易に判定することができる。
【００６４】
（５）動作検出部５０は、間隔周期と基準動作周期の差が閾値以下である場合に、ワイパーが動作していると判定し、
ワイパー動作検出装置１は、間隔周期と基準動作周期との差が閾値を超える場合に、ワイパーの異常を報知する警報部９０を備える。
【００６５】
算出した低下時間の間隔周期と、基準動作周期の差が大きすぎる場合には、降雨状況の変化による遅延ではなく、ワイパーモータＷＭに異常が発生している可能性が高い。そのような場合に、警報を出力することによって、運転者はワイパーの異常を速やかに知ることができる。
【００６６】
（６）動作検出部５０は、間隔周期と基準動作周期の差が閾値以下である場合に、ワイパーが動作していると判定し、ワイパー動作検出装置１は、間隔周期と基準動作周期の差（遅延時間）に基づいて、ワイパーの動作の変更の要否を判断する動作変更判断部８０をさらに備える。具体的には、動作変更判断部８０は、間隔周期と基準動作周期の差（遅延時間）が所定時間よりも長い場合に、ワイパーの動作の停止を判断する。
【００６７】
ガラス面Ｇが雨滴で十分濡れているときには、水が潤滑剤として作用してワイパーの動作速度が速くなる傾向がある。一方、雨滴が減少すると、ワイパーとガラス面Ｇとの摩擦が増大してワイパーの動作速度が遅くなる傾向がある。すなわち、降雨状態の変化などによりガラス面Ｇに付着する雨滴の量が減少すると、減少量に応じて間隔周期が延びて基準動作周期との差が大きくなり、ワイパーの遅延時間が増大する。
【００６８】
よって、ワイパーの遅延時間を算出することで、ガラス面Ｇに付着する雨滴の量に影響をあたえる降雨状況の変化を判定することができる。この降雨状況の変化に基づいて、ワイパーの動作を停止する、遅くするなどのワイパー動作の変更の要否を判断することで、ワイパーの的確な制御を行うことができる。
【００６９】
（７）基準動作周期は、ワイパーの動作速度および間欠時間をそれぞれに異ならせた複数の動作モードに応じて予め決定する。車載プロセッサＣＰから入力されるワイパーの動作開始通知には、ワイパーを動作させる動作モードの通知が含ませる。動作検出部５０は、ワイパーの動作開始通知が示す動作モードに応じた基準動作周期と間隔周期の差を算出する。
【００７０】
基準動作周期を動作モードに応じて予め決定しておくことで、動作検出部５０は動作モードに対応した基準動作周期を用いて間隔周期との比較を行うことができ、的確にワイパーの異常を的確に検出し、または遅延時間を算出することができる。
【００７１】
（８）光センサ３０は、車両前方の照度を検出する前方受光素子３２と、車両上方の照度を検出する上方受光素子３３とを備え、動作検出部５０は、前方受光素子３２が検出する照度の低下時間を検出することにより、ワイパーの動作を判定する。
【００７２】
前記したように、光センサ３０は、ヘッドライトの点灯制御のために、予め車両に設置されていることも多い。ヘッドライトの点灯制御に用いる光センサ３０は、前方受光素子３２と上方受光素子３３を備えるものがある。二つの受光素子のうち、前方受光素子３２のみをワイパーの動作の検出に用いることで、すみやかな検出が可能となる。
【００７３】
［変形例１］
実施の形態では、光センサ３０の出力値から算出したワイパーの遅延時間のみに基づいて、ワイパーの動作の変更の要否を判断した。変形例１では、雨滴センサ４０の出力値から、ワイパーが払拭した雨滴（水）の量を求め、遅延時間と組み合わせてワイパーの動作の変更の要否を判断する例を説明する。雨滴センサ４０は、実施の形態で説明したように、センサ部２０の筐体２１に光センサ３０と一体的に収容されたものを用いる。
【００７４】
図９は、変形例１にかかるワイパー動作検出装置の構成を示すブロック図である。変形例１のワイパー動作検出装置１は、実施の形態の構成に加えて、ワイパー水測定部７０を備える。ワイパー水測定部７０は、雨滴センサ４０の受光素子４２の出力値から、ワイパーが払拭した水の量を測定する。
【００７５】
図１０は、雨滴センサ４０の受光素子４２の出力値の変化の一例を示す図である。
ワイパーがガラス面Ｇの表面に設定した雨滴センサ４０の検知面Ｄ（図５の（Ｂ）参照）を通過すると、検知面Ｄに付着した雨滴がワイパーにより払拭されて検知面Ｄでの光の反射条件が大きく変化する。このため、受光素子４２の出力値はワイパーの通過時に大きく変化する。
【００７６】
図１０の場合、符号Ａ、Ｂで示す点線枠内の受光素子４２の出力値の変化が、ワイパーの通過を示している。前記したように、ワイパーは初期位置Ｐ１と反転位置Ｐ２の間を往復移動している。符号Ａで示す点線枠内の出力値の変化は、ワイパーの初期位置Ｐ１から反転位置Ｐ２までの移動（往路移動）に起因する変化である。符号Ｂで示す点線枠内の出力値の変化はワイパーの反転位置Ｐ２から初期位置Ｐ１までの移動（復路移動）に起因する変化である。
【００７７】
ワイパーは、ガラス面Ｇに付着した雨滴をかき集めながら移動する。そのため、ワイパーが検知面Ｄの上を通過する際の受光素子４２の出力値は、かき集められた水により一旦低下したのち、ワイパーが通過して雨滴の払拭が完了した時点で急激に上昇する。よって、符号ａで示す点の出力値は、かき集められた水が検知面Ｄの上に位置するときの出力値である。符号ｂで示す点の出力値は、払拭が完了したときの出力値である。
【００７８】
ここで、点ａにおける出力値と点ｂにおける出力値の差（図中、符号Ｃで示す）が、ワイパーが払拭した水の量にほぼ相当するので、符号ａで示す点の出力値に基づき雨滴の量を求めると、ワイパーが払拭した水の量が判る。
【００７９】
ワイパー水測定部７０は、ワイパーの往路移動の際の受光素子４２の出力値のうち、最も値の小さい出力値（図中、符号ａで示す）を評価値として決定し、決定した評価値と、一回前のワイパーの往路移動の際の評価値とを比較する。
【００８０】
そして、今回の評価値のほうが前回の評価値よりも大きい場合（ワイパーが払拭した水の量が減少した場合）、今回の評価値から前回の評価値を減算して評価値の差を求め、求めた差に基づいて、図示しない記憶部に記憶されたワイパー払拭水マップを参照して、ワイパーが払拭した水の量を特定する。
【００８１】
図１１は、ワイパー払拭水マップを説明する説明図である。
ワイパー払拭水マップでは、ワイパー通過時の評価値の変化量と、ワイパーが払拭した水の量の関係が規定されており、ワイパー通過時の評価値の変化量を求めることでワイパーが払拭した水の量の程度（ワイパー水レベル）が特定できるようになっている。例えば、変化量が１００である場合はワイパー水レベルが「３」であり、３００である場合は「９」であると特定される。
【００８２】
ワイパー水測定部７０は、ワイパーが払拭した水の量のワイパー水レベルが特定されると、ワイパー水レベルを示す払拭水情報を生成する。ワイパー水測定部７０は、生成した払拭水情報を、動作変更判断部８０に出力する。
【００８３】
動作変更判断部８０は、実施の形態と同様に、図８に示した遅延時間マップを用いて、動作検出部５０が入力した遅延時間から、ワイパー遅延レベルを特定する。変形例１では、動作変更判断部８０はさらに、メモリに記憶した補正係数マップを用いて、ワイパー遅延レベルからワイパー停止補正係数を特定する。
【００８４】
図１２は、補正係数マップを説明する説明図である。
補正係数マップでは、ワイパー遅延レベルとワイパー停止補正係数との関係が規定されている。ワイパー停止補正係数とは、ワイパー動作の停止の要否を判断するための係数である。動作変更判断部８０は、特定したワイパー遅延レベルが、補正係数マップにおいて、どのワイパー停止補正係数に該当するかを特定する。動作変更判断部８０は、例えば、ワイパー遅延レベルが「５」である場合は、ワイパー停止補正係数が「１」であると特定する。
【００８５】
ここで、実施の形態では、ワイパー停止補正係数が「３」である場合はガラス面Ｇが乾燥していることを、「２」である場合はガラス面Ｇがほぼ乾燥していることを、「１」である場合はガラス面Ｇが濡れ気味であることを、「０」である場合はガラス面Ｇが十分に濡れていることを、それぞれ示している。
【００８６】
また、遅延時間が６４ｍｓ以上（ワイパー遅延レベルが「４」以上）となった場合に、ワイパーの動作速度に実質的な遅延が生じていると判断して、ワイパー停止補正係数を「１」以上に設定している。なお、この補正係数マップでは、遅延時間のレベルが「３」未満である場合は、ワイパー停止補正係数が「０」となるように設定されている。光センサ３０の検出結果の誤差が、動作変更判断部８０における判断に影響するのを防止するためである。
【００８７】
動作変更判断部８０は、遅延時間に基づいて特定したワイパー停止補正係数と、ワイパー水測定部７０が入力した払拭水情報に基づいて、ワイパーの動作の変更の要否を判断する。ここで示す例では、動作変更判断部８０は、ワイパーの動作の停止の要否を判断する。動作変更判断部８０は、メモリに記憶された判断マップを参照して、ワイパー動作の停止の要否を判断する。
【００８８】
図１３は、判断マップを説明する説明図である。
判断マップは、ワイパー停止補正係数ごとに、ワイパーの動作の停止を判断するワイパー水レベルの閾値を規定したものである。
【００８９】
判断マップにおいては、ワイパー停止補正係数が大きくなるほど、ワイパーの動作の停止を判断するワイパー水レベルの閾値が大きくなるように規定されている。例えば、ワイパー停止補正係数が０のときは、ワイパー水レベルの閾値は２である。ワイパー停止補正係数が１のときは、ワイパー水レベルの閾値は４である。ワイパー停止補正係数が３のときは、ワイパー水レベルの閾値は１６である。
【００９０】
動作変更判断部８０は、この判断マップを参照して、ワイパー水測定部７０が入力した払拭水情報が示すワイパー水レベルを、特定したワイパー停止補正係数に規定された閾値と比較する。動作変更判断部８０は、ワイパー水レベルが閾値未満である場合には、ワイパーの停止を判断する。例えば、ワイパー水レベルが３であり、ワイパー停止補正係数が１である場合には、ワイパー水レベルは判断マップに示される閾値の４未満であるため、動作変更判断部８０は、ワイパーの動作の停止を判断する。
【００９１】
このように判断マップを規定することによって、ガラス面Ｇに付着する水の量が少なくなってワイパーの動作の遅延時間が長くなるほど（停止補正係数が大きくなるほど）、ワイパーが払拭する水の量が多くても（ワイパー水レベルが高くても）ワイパーの停止が判断されやすくなる。
【００９２】
動作変更判断部８０は、ワイパーの動作の停止を判断した場合は、判断結果を通信部１０を介して車載プロセッサＣＰに送信する。車載プロセッサＣＰは、ワイパーモータＷＭへの駆動信号の出力を中止して、ワイパーを停止させるように制御を行う。
【００９３】
このように、変形例１では、光センサ３０の出力値に加えて、雨滴センサ４０の出力値を用いて、ワイパーの動作の変更の要否を判断する。雨滴センサ４０の検出値も、ガラス面Ｇに付着する雨滴の量の変化、すなわち降雨状況の変化を反映したものであるため、より的確に降雨状況の変化に応じたワイパーの制御を行うことができる。これによって、運転者の快適性を向上させることができる。
【００９４】
変形例１では、センサ部２０の筐体２１に光センサ３０と雨滴センサ４０が一体的に収容されたものを用いる場合を説明したが、これに限られない。光センサ３０と雨滴センサ４０は別体に設けても良い。
【００９５】
また、ガラス面Ｇの雨滴の量を検出するセンサに、赤外光を照射する光学素子を用いたが、これに限られない。雨滴の量の測定と降雨状態の推定を行うことができるものであれば、例えば超音波を用いた雨滴センサ４０や感圧方式を用いた雨滴センサ４０なども採用可能である。
【００９６】
［変形例２］
実施の形態では、動作検出部５０は光センサ３０の前方受光素子３２の検出する照度のみを用いたが、これに限られない。前方受光素子３２の代わりに上方受光素子３３の検出する照度を用いても良く、あるいは前方受光素子３２と上方受光素子３３の両方の検出する照度を用いても良い。両方の照度の用い方は、特定のものに限られないが、例えば、両方の照度から低下時間が検出された場合のみ、ワイパーが動作したと判定しても良い。前方受光素子３２および上方受光素子３３の両方の検出結果を用いることで、より的確にワイパーの動作を検出することができる。
【符号の説明】
【００９７】
１  ワイパー動作検出装置
１０  通信部
２０  センサ部
２１  筐体
２２  ブラケット
２３  カバー
２４  基板
３０  光センサ
４０  雨滴センサ
３１  レンズ
３１ａ  前方光導光部
３１ｂ  上方光導光部
３２  前方受光素子
３３  上方受光素子
３４  カバー部材
４１  発光素子
４２  受光素子
４３  プリズム
４３ａ  板状部
４３ｂ  導光部
５０  動作検出部
７０  ワイパー水測定部
８０  動作変更判断部
９０  警報部
ＤＡ  検出領域
Ｄ  検知面
Ｇ  ガラス面
Ｓ  雨滴
Ｗ  ワイパー
ＷＡ  ワイパーアーム
ＷＭ  ワイパーモータ
ＣＰ  車載プロセッサ
【図１】
2018103725.tif 000003
【図２】
2018103725.tif 000004
【図３】
2018103725.tif 000005
【図４】
2018103725.tif 000006
【図５】
2018103725.tif 000007
【図６】
2018103725.tif 000008
【図７】
2018103725.tif 000009
【図８】
2018103725.tif 000010
【図９】
2018103725.tif 000011
【図１０】
2018103725.tif 000012
【図１１】
2018103725.tif 000013
【図１２】
2018103725.tif 000014
【図１３】
2018103725.tif 000015